(57)【要約】【課題】  ワイパの擦拭動作を安定させ、順調とするワイパの乱流板装置の提供。【解決手段】  ワイパのフレームの前、後方底縁に下向きに傾斜するよう延伸された前、後乱流板が設けられ、該前乱流板は波状を呈し、その前縁が下向きに折り曲げられ、後縁に異なる長さの長孔が設けられ、長孔縁が下向きに折り曲げられ、後乱流板は中央が低く両端が僅かに隆起し、その外縁が下向きに折り曲げられ、ワイパが擦拭動作を行なう時、前方の風圧が前乱流板に沿って圧力を形成し、さらに後縁の長孔より下向きに流出し、抵抗力の形成を防止し、後乱流板が強化リブを形成し、フレームの変形を防止し、また乱流の下向き圧力を発生し、ワイパの擦拭動作を安定させ、順調とする。【選択図】        図２
0003104011.tif 000002
【実用新案登録請求の範囲】
【請求項１】
第１フレーム、第２フレーム及び第３フレーム及びゴム條で組成されたワイパに設けられるワイパの乱流板装置において、
該第１フレームの前、後方底縁に下向きに傾斜するような前、後乱流板が延伸され、該前乱流板は両端が円弧角の片体とされ、その表面が略Ｓ形の波状に形成され、並びに前縁に下向きの折り曲げ部が設けられ、前乱流板の後縁の第１フレームとの接続部分に、異なる長さの大、小長孔が設けられ、両端に開口が設けられ、大、小長孔及び開口の長孔縁及び開口縁に下向きの折り曲げ部が設けられ、大長孔に位置する第１フレームの底縁に前向きの水平折り曲げ部が設けられ、該後乱流板は、中央が低く、両端がやや隆起し、並びにその外縁に下向きの折り曲げ部が形成され、ワイパが擦拭動作する時、前方の風圧が前乱流板に沿って圧力を形成し、さらに後縁の大、小長孔より下向きに流出し、抵抗力の形成を防止し、後乱流板が強化リブを形成し、ワイパの振動を防止し擦拭を順調とすることを特徴とする、ワイパの乱流板装置。
【請求項２】
請求項１記載のワイパの乱流板装置において、前乱流板の大長孔に位置する第１フレームの底縁に、前向きの水平折り曲げ部が形成され、前方の風力をこの水平折り曲げ部により速やかに上昇させて風の抵抗を減らすことを特徴とする、ワイパの乱流板装置。
【考案の詳細な説明】
【技術分野】
【０００１】
本考案は一種のワイパの乱流板装置に係り、特に、風の抵抗を減らし、擦拭時の振動を防止し、雨水の擦拭効果の高いワイパの乱流板装置に関する。
【背景技術】
【０００２】
一般に自動車のワイパが走行中に擦拭動作を行なう時、全体のワイパはワイパアームにより固定されているだけであるため、車速が異なる時、風の影響で雨水の擦拭効果に影響が生じる。ゆえに図１に示されるような構造が提供されており、それはワイパ１０の前縁より長片状の乱流板１０１が延伸され、この乱流板１０１により擦拭動作が安定するものとされている。しかしワイパ１０がフロントガラス２０に沿って上向きに擦拭する時は順風であり、下向きの時は逆風であり、このためこのような単辺受力（風の抵抗）のワイパ１は下圧時に振動現象を有し、特に高速走行時に不安定な状況を発生する。
【考案の開示】
【考案が解決しようとする課題】
【０００３】
本考案の主要な目的は、一種のワイパの乱流板装置を提供することにあり、それはワイパの風の抵抗を減らし、振動の発生を防止し、擦拭動作を安定させることができる構造を有するものとする。
【課題を解決するための手段】
【０００４】
請求項１の考案は、第１フレーム、第２フレーム及び第３フレーム及びゴム條で組成されたワイパに設けられるワイパの乱流板装置において、
該第１フレームの前、後方底縁に下向きに傾斜するような前、後乱流板が延伸され、該前乱流板は両端が円弧角の片体とされ、その表面が略Ｓ形の波状に形成され、並びに前縁に下向きの折り曲げ部が設けられ、前乱流板の後縁の第１フレームとの接続部分に、異なる長さの大、小長孔が設けられ、両端に開口が設けられ、大、小長孔及び開口の長孔縁及び開口縁に下向きの折り曲げ部が設けられ、大長孔に位置する第１フレームの底縁に前向きの水平折り曲げ部が設けられ、該後乱流板は、中央が低く、両端がやや隆起し、並びにその外縁に下向きの折り曲げ部が形成され、ワイパが擦拭動作する時、前方の風圧が前乱流板に沿って圧力を形成し、さらに後縁の大、小長孔より下向きに流出し、抵抗力の形成を防止し、後乱流板が強化リブを形成し、ワイパの振動を防止し擦拭を順調とすることを特徴とする、ワイパの乱流板装置としている。
請求項２の考案は、請求項１記載のワイパの乱流板装置において、前乱流板の大長孔に位置する第１フレームの底縁に、前向きの水平折り曲げ部が形成され、前方の風力をこの水平折り曲げ部により速やかに上昇させて風の抵抗を減らすことを特徴とする、ワイパの乱流板装置としている。
【考案の効果】
【０００５】
本考案のワイパの乱流板装置は、ワイパに前、後乱流板が設けられ、並びに前乱流板に波形面と前、後縁の折り曲げ部が設けられ、これによりワイパの擦拭動作時に風の抵抗を減らし、振動を防止し擦拭動作を安定させ、ゆえに本考案は実用性と新規性を具えた考案であるといえる。
【考案を実施するための最良の形態】
【０００６】
本考案のワイパの乱流板装置は、ワイパのフレームの前、後方底縁に下向きに傾斜するよう延伸された前、後乱流板が設けられ、該前乱流板は波状を呈し、その前縁が下向きに折り曲げられ、後縁に異なる長さの長孔が設けられ、長孔縁が下向きに折り曲げられ、後乱流板は中央が低く両端が僅かに隆起し、その外縁が下向きに折り曲げられ、ワイパが擦拭動作を行なう時、前方の風圧が前乱流板に沿って圧力を形成し、さらに後縁の長孔より下向きに流出し、抵抗力の形成を防止し、後乱流板が強化リブを形成し、フレームの変形を防止し、また乱流の下向き圧力を発生し、ワイパの擦拭動作を安定させ、順調とする。
【実施例１】
【０００７】
図２、３、４に示されるように、本考案は第１フレーム１、第２フレーム２及び第３フレーム３及びゴム條６で組成されたワイパ１００に設けられ、そのうち、第１フレーム１の前、後方底縁に下向きに傾斜するよう延伸された前、後乱流板４、５が設けられ、該前乱流板４は両端が円弧角の片体とされ、その表面が略Ｓ形の波状に形成され、並びに前縁に下向きの折り曲げ部４１が設けられ、前乱流板４の後縁の第１フレーム１との接続部分に、異なる長さの大、小長孔４２、４３が設けられ、両端に開口４４が設けられ、大、小長孔４２、４３及び開口４４の長孔縁及び開口縁に下向きの折り曲げ部４２１、４３１、４４１が設けられ、大長孔４２に位置する第１フレーム１の底縁に前向きの水平折り曲げ部１１が設けられている。
【０００８】
該後乱流板５は、中央が低く、両端がやや隆起し、並びにその外縁に下向きの折り曲げ部５１が形成されている。
【０００９】
前述の部品の組合せにより、ワイパが擦拭動作する時、前方の風圧が前乱流板４に沿って圧力を形成し、さらに後縁の大、小長孔４２、４３より下向きに流出し、抵抗力の形成を防止し、ワイパが風を受けて起き上がるのを防止し、後乱流板５が強化リブを形成し、第１フレーム１の擦拭動作中の変形を防止するほか、風を受けて乱流板に下向きの圧力を形成させて、ワイパ１００が擦拭動作する時、両辺の前乱流板４と後乱流板５により平衡した下向き圧力を発生して擦拭動作を安定させ、並びに雨水擦拭の効果を高める。図５は本考案の動作を示す。ワイパ１００がフロントガラス２０に沿って擦拭動作する時、ワイパ１００の前乱流板４表面が波状を呈し且つ大、小長孔４２、４３に折り曲げ部４２１、４３１が設けられたことにより導流効果が形成され、前方の風力が前乱流板４を通る時、先ず波面で圧力を形成し、さらに急速に後縁の大、小長孔４２、４３より下向きに流れ、別の抵抗力を形成するのを防止し、第１フレーム１の底縁の水平折り曲げ部１１が風を急速に上昇させ、第１フレーム１の中央部分がその他の位置より高く、折り曲げ部１１が風を上向きに案内して風の抵抗を減らし、ワイパ１００に振動を発生させない。後乱流板５は強化リブを形成し、風力により下圧された後に風を上向きとし、これにより第１フレーム１の擦拭動作時にその変形を防止するほか、乱流の下向き圧力を有してワイパ１００の擦拭動作時に、両辺に平衡する下向き圧力を有して擦拭動作を安定させ、雨水の擦拭効果を高める。
【図面の簡単な説明】
【００１０】
【図１】周知のワイパの構造及び使用実施例図である。
【図２】本考案の立体図である。
【図３】本考案の別角度の立体図である。
【図４】本考案の正面図である。
【図５】本考案の使用実施例図である。
【符号の説明】
【００１１】
１  第１フレーム            ４４  開口
１１  折り曲げ部            ４４１  折り曲げ部
２  第２フレーム            ５  後乱流板
３  第３フレーム            ５１  折り曲げ部
４  前乱流板                ６  ゴム條
４１  折り曲げ部            １０  ワイパ
４２  大長孔                １０１  乱流板
４２１  折り曲げ部          ２０  フロントガラス
４３  小長孔                １００  ワイパ
４３１  折り曲げ部
【図１】
0003104011.tif 000003
【図２】
0003104011.tif 000004
【図３】
0003104011.tif 000005
【図４】
0003104011.tif 000006
【図５】
0003104011.tif 000007